(57)【要約】【課題】警報音を発生して係員等へ直接断線を知らせることができる警報音発生機能付スピーカアンプを提供する。【解決手段】スピーカアンプ１は、第１、第２の入力信号を増幅する第１、第２のＤ級増幅器４、５と、第１、第２のＤ級増幅器４、５へクロックパルスを出力するクロックパルス発生回路６と、第１、第２のＤ級増幅器４、５の各出力端とスピーカ１１、１２との間の各配線の断線を検出し、検出信号を外部のコントローラおよび警報音発生回路１７へ出力する断線検出回路１５と、断線検出回路１５の検出信号を受けて警報音信号を生成し、第１、第２のＤ級増幅器４、５へ出力する警報音発生回路１７とを有する。そして、第１、第２のＤ級増幅器４，５は警報音発生回路１７から警報音信号を受けた時、第１、第２の入力信号に代えて警報音信号を増幅してスピーカ１１，１２へ出力する。【選択図】図１
2010245758.tif 000002
【特許請求の範囲】
【請求項１】
第１、第２の入力信号をそれぞれ増幅してスピーカへ出力する第１、第２の増幅器と、
前記第１、第２の増幅器の各出力端と前記スピーカとの間の各配線の断線を検出し、検出信号を外部のコントローラへ出力すると共に、警報音発生回路へ出力する断線検出回路と、
前記断線検出回路の検出信号を受けて警報音信号を生成し、前記第１、第２の増幅器へ出力する前記警報音発生回路と、
を具備し、
前記第１、第２の増幅器は、前記警報音発生回路から前記警報音信号を受けた場合、前記第１、第２の入力信号に代えて前記警報音信号を増幅して前記スピーカへ出力する
ことを特徴とする警報音発生機能付スピーカアンプ。
【請求項２】
クロックパルスを出力するクロックパルス発生回路と、
前記クロックパルスに基づいて第１、第２の入力信号をそれぞれ増幅してスピーカへ出力する第１、第２のＤ級増幅器と、
前記第１、第２のＤ級増幅器の各出力端と前記スピーカとの間の各配線の断線を検出し、検出信号を外部のコントローラへ出力すると共に、警報音発生回路へ出力する断線検出回路と、
前記断線検出回路の検出信号を受けて警報音信号を生成し、前記第１、第２のＤ級増幅器へ出力する前記警報音発生回路と、
を具備し、
前記第１、第２のＤ級増幅器は、前記警報音発生回路から前記警報音信号を受けた場合、前記第１、第２の入力信号に代えて前記警報音信号を増幅して前記スピーカへ出力する
ことを特徴とする警報音発生機能付スピーカアンプ。
【請求項３】
前記警報音発生回路は、前記クロックパルス発生回路から出力されるクロックパルスに基づいて前記警報音信号を生成することを特徴とする請求項２に記載の警報音発生機能付スピーカアンプ。
【発明の詳細な説明】
【技術分野】
【０００１】
本発明は、スピーカの配線の断線を検出して警報音を発生する警報音発生機能付スピーカアンプに関する。
【背景技術】
【０００２】
パチンコ機やその他のゲーム機等においては、スピーカの配線に断線が生じた場合、できるだけ早く断線を検出し、例えば係員等への報知をする必要がある。
従来、スピーカ配線の断線を検出する装置は種々開発されている（例えば、特許文献１参照）。
【先行技術文献】
【特許文献】
【０００３】
【特許文献１】特開２００３−２７４４９１号公報
【発明の概要】
【発明が解決しようとする課題】
【０００４】
しかしながら、この種の装置はいずれも断線を検出し、コントローラへ報知するだけのものであるため、コントローラへの配線が断線した場合は、スピーカ配線の断線を係員等に知らせることができなかった。
本発明は、このような事情に鑑みてなされたものであり、その目的は、警報音を発生して係員等へ直接断線を知らせることができる警報音発生機能付スピーカアンプを提供することにある。
【課題を解決するための手段】
【０００５】
上述した課題を解決するために、本発明は、第１、第２の入力信号をそれぞれ増幅してスピーカへ出力する第１、第２の増幅器と、前記第１、第２の増幅器の各出力端と前記スピーカとの間の各配線の断線を検出し、検出信号を外部のコントローラへ出力すると共に、警報音発生回路へ出力する断線検出回路と、前記断線検出回路の検出信号を受けて警報音信号を生成し、前記第１、第２の増幅器へ出力する前記警報音発生回路と、を具備し、前記第１、第２の増幅器は、前記警報音発生回路から前記警報音信号を受けた場合、前記第１、第２の入力信号に代えて前記警報音信号を増幅して前記スピーカへ出力することを特徴とする。
【０００６】
また、本発明は、クロックパルスを出力するクロックパルス発生回路と、前記クロックパルスに基づいて第１、第２の入力信号をそれぞれ増幅してスピーカへ出力する第１、第２のＤ級増幅器と、前記第１、第２のＤ級増幅器の各出力端と前記スピーカとの間の各配線の断線を検出し、検出信号を外部のコントローラへ出力すると共に、警報音発生回路へ出力する断線検出回路と、前記断線検出回路の検出信号を受けて警報音信号を生成し、前記第１、第２のＤ級増幅器へ出力する前記警報音発生回路と、を具備し、前記第１、第２のＤ級増幅器は、前記警報音発生回路から前記警報音信号を受けた場合、前記第１、第２の入力信号に代えて前記警報音信号を増幅して前記スピーカへ出力することを特徴とする。
【０００７】
また、本発明は、上記の警報音発生機能付スピーカアンプにおいて、前記警報音発生回路は、前記クロックパルス発生回路から出力されるクロックパルスに基づいて前記警報音信号を生成することを特徴とする。
【発明の効果】
【０００８】
この発明によれば、警報音発生機能付スピーカアンプにより警報音を発生して、スピーカの近傍の係員等へ直接断線を知らせることができる。また、この発明によれば、スピーカ配線の断線をコントローラへ知らせると共に、警報音を発生して断線の発生を係員等に知らせるので、断線の発生を確実に報知することができる。また、クロックパルス発生回路から出力されるクロックパルスに基づいて警報音信号を生成するので、警報音発生回路のコストを安価にできる。
【図面の簡単な説明】
【０００９】
【図１】この発明の一実施形態による警報音発生機能付スピーカアンプの構成を示すブロック図である。
【図２】同実施形態の動作を説明するためのフローチャートである。
【発明を実施するための形態】
【００１０】
以下、本発明の一実施形態による警報音発生機能付スピーカアンプ（以下、スピーカアンプという）について図面を参照して説明する。
図１は、この発明の一実施形態によるスピーカアンプ１の構成を示す概略ブロック図である。この図において、符号２、３は各々コントローラ（図示略）から出力される楽音信号が加えられる入力端子であり、Ｄ級増幅器４、５の各入力端Ｉ１に接続されている。Ｄ級増幅器４、５はそれぞれ、クロックパルス発生回路６から出力され、入力端Ｉ３へ入力されるクロックパルスに基づいて、入力端Ｉ１へ供給される信号をパルス信号に変換した後増幅し、増幅した信号をローパスフィルタを介して出力端子９、１０へ出力する。この出力端子９、１０の信号がスピーカ１１、１２へ出力される。また、Ｄ級増幅器４、５は、入力端Ｉ２に信号が加えられた時は、入力端Ｉ１の信号に代えて入力端Ｉ２の信号をＤ級増幅し、出力端子９、１０へ出力する。
【００１１】
符号１５は公知の断線検出回路であり、Ｄ級増幅器４の出力端からスピーカ１１までの配線、およびＤ級増幅器５の出力端からスピーカ１２までの配線のそれぞれについて、例えば電圧を監視する等の方法により断線を検出し、断線が検出された場合は検出信号を端子１６へ出力すると共に、警報音発生回路１７へ出力する。端子１６へ出力された検出信号はコントローラへ出力される。
【００１２】
警報音発生回路１７は、内部に分周器および変調器を有している。そして、断線検出回路１５からの検出信号を受けて、クロックパルス発生回路６から出力されるクロックパルスを分周し、さらに変調して警報音信号を生成し、Ｄ級増幅器４、５の各入力端Ｉ２へ出力する。
【００１３】
次に、上述したスピーカアンプ１の動作を図２に示すフローチャートを参照して説明する。
まず、通常時においては、警報音発生回路１７から警報音信号が出力されることはなく、入力端子２、３の信号がＤ級増幅器４、５によって増幅され、スピーカ１１、１２へ供給される。次に、例えば、Ｄ級増幅器５の出力端とスピーカ１２との間において断線が発生したとすると、断線検出回路１５がそれを検出し、検出信号を端子１６および警報音発生回路１７へ出力する。端子１６へ出力された検出信号はコントローラへ供給される（図２のステップＳ１）。
【００１４】
警報音発生回路１７は断線検出回路１５からの検出信号を受け、クロックパルス発生回路６から出力されるクロックパルスを分周、変調して警報音信号を生成し、Ｄ級増幅器４、５の各入力端Ｉ２へ出力する（ステップＳ２）。Ｄ級増幅器４、５はそれぞれその警報音信号を増幅し、出力端から出力する（ステップＳ３）。そして、Ｄ級増幅器４の出力は出力端子９を介してスピーカ１１へ供給され、これにより、警報音がスピーカ１１から発生する（ステップＳ４）。一方、Ｄ級増幅器５の出力は、断線のためスピーカ１２へ供給されず、スピーカ１２から警報音が発生することはない。
【００１５】
このように、Ｄ級増幅器５の出力端とスピーカ１２との間において断線が発生した場合、断線がないスピーカ１１から断線警報音が発生する。また、Ｄ級増幅器４の出力端とスピーカ１１との間において断線が発生した場合には、同様に、断線がないスピーカ１２から断線警報音が発生する。
【００１６】
以上説明したように、上記実施形態によれば、どちらかのスピーカ配線に断線が発生した場合、断線検出信号がコントローラへ出力されると共に、断線警報音が断線のないスピーカから発生する。これにより、断線がコントローラへ通知されると共に、警報音により係員等に直接、断線の発生を知らせることができる。
【００１７】
以上、この発明の実施形態について図面を参照して詳述してきたが、具体的な構成はこの実施形態に限られるものではなく、この発明の要旨を逸脱しない範囲の設計等も含まれる。
【００１８】
例えば、パチンコ機に上記実施形態によるスピーカアンプを適用し、係員等に警報音によって断線を報知すると共に、コントローラへの通知を行ってコントローラにおいて次のような処理を行うようにしてもよい。
（１）パチンコ台を、玉を出さないように制御する。
（２）パチンコ台に設けた発光ダイオードを点滅するよう制御し、異常を知らせる。
（３）パチンコ台に内蔵したカメラを制御し、近辺を撮影する。
（４）パチンコ台の動作を中断するよう制御する。
（５）ネットワーク接続された近くのパチンコ台に異常を通知する。
（６）パチンコ台に内蔵したモータを駆動するよう制御し、パチンコ台の筐体を振動させて異常を知らせる。
【符号の説明】
【００１９】
１…警報音発生機能付スピーカアンプ、４、５…Ｄ級増幅器、６…クロックパルス発生回路、１５…断線検出回路、１７…警報音発生回路。
【図１】
2010245758.tif 000003
【図２】
2010245758.tif 000004